(57)【要約】【課題】複数の台紙を用いる場合にあって、第１の台紙に貼り付けられている付箋を、その第１の台紙の後に用いられる第２の台紙に貼り付けるようにした情報処理装置を提供する。【解決手段】情報処理装置の貼付手段は、付箋を貼り付ける先の第１の台紙における第１の凡例と該第１の台紙の後に用いられる第２の台紙における第２の凡例との関係にしたがって、該第１の台紙に貼り付けられている付箋を第２の台紙に貼り付ける。【選択図】図１
2018041388.tif 000002
【特許請求の範囲】
【請求項１】
付箋を貼り付ける先の第１の台紙における第１の凡例と該第１の台紙の後に用いられる第２の台紙における第２の凡例との関係にしたがって、該第１の台紙に貼り付けられている付箋を第２の台紙に貼り付ける貼付手段
を有する情報処理装置。
【請求項２】
第１の凡例と第２の凡例の接続を設定する設定手段
をさらに有し、
前記貼付手段は、前記第１の凡例と前記第２の凡例の関係として、前記設定手段によって設定された第１の凡例と第２の凡例の接続を用いる、
請求項１に記載の情報処理装置。
【請求項３】
前記設定手段は、第１の台紙と第２の台紙との関係を設定した後に、第１の凡例と第２の凡例の接続を設定する、
請求項２に記載の情報処理装置。
【請求項４】
第１の凡例に関係する第２の凡例であって、該第１の凡例の属性情報と該第２の凡例の属性情報とが異なる場合は、両者の属性情報を整合させる整合手段
をさらに有する請求項１に記載の情報処理装置。
【請求項５】
前記整合手段は、前記属性情報が異なる場合として、付箋の形態に関する属性情報が異なる場合とし、該場合に、該属性を整合させる、
請求項４に記載の情報処理装置。
【請求項６】
前記第２の凡例には、台紙における領域が対応しており、該領域内には付箋が貼り付けられ、
前記第１の凡例に関係する付箋の量にしたがって、該第１の凡例に関係する第２の凡例に対応する領域の大きさを調整する調整手段
をさらに有する請求項１に記載の情報処理装置。
【請求項７】
前記調整手段は、調整が行われた領域にしたがって、他の領域の大きさを調整する、
請求項６に記載の情報処理装置。
【請求項８】
前記整合手段は、第１の凡例に関係する第２の凡例であって、該第１の凡例の属性情報と該第２の凡例の属性情報とが異なる場合は、異なっていない第３の台紙を抽出することによって両者の属性情報を整合させる、
請求項４に記載の情報処理装置。
【請求項９】
前記整合手段は、第１の凡例に関係する第２の凡例であって、該第２の凡例の属性情報を該第１の凡例の属性情報とすることによって、両者の属性情報を整合させる、
請求項４に記載の情報処理装置。
【請求項１０】
コンピュータを、
付箋を貼り付ける先の第１の台紙における第１の凡例と該第１の台紙の後に用いられる第２の台紙における第２の凡例との関係にしたがって、該第１の台紙に貼り付けられている付箋を第２の台紙に貼り付ける貼付手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、電子ファイルとの関係を明確にして電子付箋を作成し、利便性のよい電子付箋の貼り付けを実現することを課題とし、起動中のアプリケーション、又はこのアプリケーションで開かれているファイルに電子付箋を貼り付けするシステムにおいて、システムフックを使用して、起動中のアプリケーションがウィンドウメッセージを受け取り時に、アプリケーション又は関連する該ファイルの識別情報を取得して電子付箋の対象リストを生成し、これにより任意のアプリケーション又は関連する該ファイルの識別情報を含む電子付箋を作成し保存し、電子付箋の貼り替えに際しては、ファイルの表示、非表示に連動した電子付箋の表示、非表示を可能とすることが開示されている。
【０００３】
特許文献２には、ウェブページのコンテンツのレイアウトや構造の変化に追随して電子付箋の表示位置を変えることを課題とし、電子付箋生成表示プログラムは、コンピュータに、電子付箋の貼り付けが指定されたウェブページのコンテンツの場所を示す位置情報を基にウェブページの中から電子付箋の貼り付け場所に最も類似する場所を推定するステップと、推定された場所に電子付箋が表示されるようにウェブページのソースを書き換えるステップと、を実行させ、ここで、位置情報は、電子付箋の貼り付けが指定されたコンテンツの場所のタグ、属性、及びタグ内の内容を含み、電子付箋の貼り付け場所に最も類似する場所は、タグ、属性、及びタグ内の内容の一致数が最大となる場所であることが開示されている。
【先行技術文献】
【特許文献】
【０００４】
【特許文献１】特開２０１０−０６６８６８号公報
【特許文献２】特許第５７０４５０８号公報
【発明の概要】
【発明が解決しようとする課題】
【０００５】
前述の特許文献に記載の技術では、付箋（電子付箋、電子カード等ともいわれる）を貼り付けることが行われている。
ところで、付箋を貼り付ける先の台紙が複数用いられる場合がある。特に、付箋を用いた作業として、複数の台紙を連動させることがある。例えば、第１の段階の作業として課題出しの作業を第１の台紙上で行い、その後、第２段階の作業としてその課題の解決策を第２の台紙上で検討する作業が行われることがある。前述の特許文献に記載の技術は、そもそも複数の台紙を連動させることを考慮したものではない。
本発明は、複数の台紙を用いる場合にあって、第１の台紙に貼り付けられている付箋を、その第１の台紙の後に用いられる第２の台紙に貼り付けるようにした情報処理装置及び情報処理プログラムを提供することを目的としている。
【課題を解決するための手段】
【０００６】
かかる目的を達成するための本発明の要旨とするところは、次の各項の発明に存する。
請求項１の発明は、付箋を貼り付ける先の第１の台紙における第１の凡例と該第１の台紙の後に用いられる第２の台紙における第２の凡例との関係にしたがって、該第１の台紙に貼り付けられている付箋を第２の台紙に貼り付ける貼付手段を有する情報処理装置である。
【０００７】
請求項２の発明は、第１の凡例と第２の凡例の接続を設定する設定手段をさらに有し、前記貼付手段は、前記第１の凡例と前記第２の凡例の関係として、前記設定手段によって設定された第１の凡例と第２の凡例の接続を用いる、請求項１に記載の情報処理装置である。
【０００８】
請求項３の発明は、前記設定手段は、第１の台紙と第２の台紙との関係を設定した後に、第１の凡例と第２の凡例の接続を設定する、請求項２に記載の情報処理装置である。
【０００９】
請求項４の発明は、第１の凡例に関係する第２の凡例であって、該第１の凡例の属性情報と該第２の凡例の属性情報とが異なる場合は、両者の属性情報を整合させる整合手段をさらに有する請求項１に記載の情報処理装置である。
【００１０】
請求項５の発明は、前記整合手段は、前記属性情報が異なる場合として、付箋の形態に関する属性情報が異なる場合とし、該場合に、該属性を整合させる、請求項４に記載の情報処理装置である。
【００１１】
請求項６の発明は、前記第２の凡例には、台紙における領域が対応しており、該領域内には付箋が貼り付けられ、前記第１の凡例に関係する付箋の量にしたがって、該第１の凡例に関係する第２の凡例に対応する領域の大きさを調整する調整手段をさらに有する請求項１に記載の情報処理装置である。
【００１２】
請求項７の発明は、前記調整手段は、調整が行われた領域にしたがって、他の領域の大きさを調整する、請求項６に記載の情報処理装置である。
【００１３】
請求項８の発明は、前記整合手段は、第１の凡例に関係する第２の凡例であって、該第１の凡例の属性情報と該第２の凡例の属性情報とが異なる場合は、異なっていない第３の台紙を抽出することによって両者の属性情報を整合させる、
請求項４に記載の情報処理装置である。
【００１４】
請求項９の発明は、前記整合手段は、第１の凡例に関係する第２の凡例であって、該第２の凡例の属性情報を該第１の凡例の属性情報とすることによって、両者の属性情報を整合させる、請求項４に記載の情報処理装置である。
【００１５】
請求項１０の発明は、コンピュータを、付箋を貼り付ける先の第１の台紙における第１の凡例と該第１の台紙の後に用いられる第２の台紙における第２の凡例との関係にしたがって、該第１の台紙に貼り付けられている付箋を第２の台紙に貼り付ける貼付手段として機能させるための情報処理プログラムである。
【発明の効果】
【００１６】
請求項１の情報処理装置によれば、複数の台紙を用いる場合にあって、第１の台紙に貼り付けられている付箋が、その第１の台紙の後に用いられる第２の台紙に貼り付けられる。
【００１７】
請求項２の情報処理装置によれば、第１の凡例と第２の凡例の間で設定された接続が、第１の凡例と第２の凡例の関係として用いられる。
【００１８】
請求項３の情報処理装置によれば、第１の台紙と第２の台紙との関係を設定した後に、第１の凡例と第２の凡例が接続される。
【００１９】
請求項４の情報処理装置によれば、第１の台紙における第１の凡例と第２の台紙における第２の凡例の属性情報が整合される。
【００２０】
請求項５の情報処理装置によれば、付箋の形態に関する属性情報が異なる場合に、その形態に関する属性情報が整合される。
【００２１】
請求項６の情報処理装置によれば、第１の凡例に関係する付箋の量にしたがって、その第１の凡例に関係する第２の凡例に対応する領域の大きさが調整される。
【００２２】
請求項７の情報処理装置によれば、調整が行われた領域にしたがって、他の領域の大きさが調整される。
【００２３】
請求項８の情報処理装置によれば、第３の台紙を抽出することによって両者の属性情報が整合される。
【００２４】
請求項９の情報処理装置によれば、第２の凡例の属性情報を第１の凡例の属性情報とすることによって、両者の属性情報が整合される。
【００２５】
請求項１０の情報処理プログラムによれば、複数の台紙を用いる場合にあって、第１の台紙に貼り付けられている付箋が、その第１の台紙の後に用いられる第２の台紙に貼り付けられる。
【図面の簡単な説明】
【００２６】
【図１】本実施の形態の構成例についての概念的なモジュール構成図である。
【図２】本実施の形態を利用したシステム構成例を示す説明図である。
【図３】会議室等における本実施の形態の使用例を示す説明図である。
【図４】本実施の形態による処理例を示すフローチャートである。
【図５】フレームワークテーブルのデータ構造例を示す説明図である。
【図６】フレームワーク連結関連テーブルのデータ構造例を示す説明図である。
【図７】フレームワーク・台紙対応テーブルのデータ構造例を示す説明図である。
【図８】台紙情報テーブルのデータ構造例を示す説明図である。
【図９】台紙情報テーブルのデータ構造例を示す説明図である。
【図１０】台紙情報テーブルのデータ構造例を示す説明図である。
【図１１】付箋情報テーブルのデータ構造例を示す説明図である。
【図１２】本実施の形態による処理例を示す説明図である。
【図１３】本実施の形態による処理例を示す説明図である。
【図１４】本実施の形態による処理例を示す説明図である。
【図１５】本実施の形態による処理例を示す説明図である。
【図１６】本実施の形態による処理例を示すフローチャートである。
【図１７】本実施の形態による処理例を示す説明図である。
【図１８】本実施の形態による処理例を示す説明図である。
【図１９】本実施の形態による処理例を示すフローチャートである。
【図２０】台紙パターン情報テーブルのデータ構造例を示す説明図である。
【図２１】本実施の形態による処理例を示す説明図である。
【図２２】本実施の形態による処理例を示す説明図である。
【図２３】本実施の形態による処理例を示す説明図である。
【図２４】本実施の形態による処理例を示す説明図である。
【図２５】本実施の形態による処理例を示す説明図である。
【図２６】本実施の形態による処理例を示す説明図である。
【図２７】本実施の形態を実現するコンピュータのハードウェア構成例を示すブロック図である。
【発明を実施するための形態】
【００２７】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に１対１に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（１対１対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２８】
本実施の形態である電子付箋制御装置１００は、会合において用いられる付箋に関する処理を行うものであって、図１の例に示すように、付箋画面制御モジュール１０５、付箋画面表示モジュール１１０、付箋操作処理モジュール１１５、付箋情報記録モジュール１２０、付箋属性情報記憶モジュール１２５、凡例付箋情報記憶モジュール１３０、背景情報記憶モジュール１３５、テンプレート記録モジュール１４０、テンプレート選択モジュール１４５、テンプレート処理モジュール１５０、テンプレート間付箋複写判定モジュール１６５、付箋属性不整合整合判定モジュール１７０、不整合テンプレート更新ルール記憶モジュール１７５、テンプレート更新モジュール１８０を有している。なお、会合は、複数人が集まって話し合うことであればよく、例えば、会議、ワークショップ、アイデア抽出会、検討会、相談、議論、集会、ミーティング等を含む。
電子付箋制御装置１００は、具体的には、付箋を用いて、ファシリテーター（一般的には１人）と複数人の参加者によって行われる会合で利用される。参加者は参加者用端末としての電子付箋端末２５０を用いて、アイデア等が記載された付箋を作成する。一般的に、図３の例に示すように、電子付箋端末２５０として、各参加者が所持する電子付箋端末２５０Ａ、電子付箋端末２５０Ｂ等（以下、代表して電子付箋端末２５０という）のように複数ある。そして、電子付箋制御装置１００は、電子付箋端末２５０から付箋を受け取って、台紙（又は背景）上にその付箋を貼り付ける。ファシリテーターは電子付箋制御装置１００の表示装置である共有画面を用いて、その台紙上で、付箋の位置を決定又は変更したり、付箋をまとめたり（第１の付箋と第２の付箋を関連付けること、グループ形成等ともいわれる）、自らも付箋情報の作成等を行って、その会合を進行させる。なお、本実施の形態において、参加者には、ファシリテーターを含む。
【００２９】
本実施の形態は、電子的な付箋と台紙を利用した電子付箋システム（電子白板等ともいわれる）にかかるものである。台紙にはそれぞれ、凡例として、付箋の属性に応じた表示形態が設定されている。複数の台紙間における凡例の関係で、ある台紙に貼り付けられた付箋を別の台紙に貼り付ける、すなわち、付箋を複写（コピー（移動を含む））することができる。そして、その場合に、一方の表示形態に合わせて表示を行うことで、複数の台紙を扱う場合でも表示形態と属性が一致し、操作者にとって付箋の属性が理解しやすくなる。なお、一般的には、複写（狭義）は、元の台紙の付箋は残したまま新たな台紙にも付箋を貼り付けることであり、移動は、元の台紙の付箋を消去して、新たな台紙に付箋を貼り付けることであるが、本実施の形態では、複写は、狭義の複写又は移動のいずれかとして解釈してもよいし、操作者の指定によって、狭義の複写、移動のいずれかが選択されてもよい。
【００３０】
ここで凡例について説明する。
共同作業しているメンバーに付箋の使い方を周知してもらうために、台紙に凡例を記載することがある。凡例とは、台紙の中で用いられている、付箋の形態（形状、模様、色彩、点滅（点滅における変更対象は、点滅を行うか否か、点滅を行っている期間、点滅の間隔等がある）、又は、これらの組み合わせであってもよい）について、それが何を意味するかを説明した記述である。例えば、黄色の付箋には「特徴」を記載すること、青色の付箋には「利点」を記載すること、赤色の付箋には「課題」を記載することのように、その台紙において、付箋の色について定められた規則である。ここでは例として、色彩を用いたが、形状、模様、点滅等を対象として凡例を作成してもよい。
【００３１】
電子付箋システムにおいて、付箋作業を進めやすくするために、付箋を貼り付ける台紙に予め作業用の図表をテンプレートとして描いておいたり、電子付箋の色や形の使い分けをガイドするために凡例を提示したり、ということが行われている。
また、付箋作業は１つの台紙で収まらず、複数の台紙を利用する場合がある。その場合、最初に作業した台紙（第１の台紙）の結果を次の台紙で利用することがあり、最初の台紙で使った付箋を次の台紙（第２の台紙）に複写することで効率的に作業を進めることができる。
しかしながら、台紙のテンプレートは、その台紙上での作業を想定して作られており、複数の台紙を組み合わせて利用するケースを想定していない。この結果、特定の台紙テンプレート上で作業した結果を使って、別のテンプレート台紙で作業する際に、テンプレートで事前に設定されていた空間配置や付箋配色等が適切でないと、視認性や作業性を低下させてしまうことになる。
特に、複数のテンプレート台紙を使って連続したワークフローとして作業を行う場合、テンプレート間の不整合が発生することがある。例えば、予め特定の色の付箋を特定の位置に配置するように意味を定めたテンプレート台紙が２種類あり、それを連続的な作業の中で使う場合、テンプレート台紙間において、同じ色で異なる意味、又は異なる色なのに同じ意味、となるケースがある。
このため、前の台紙から次の台紙に付箋の複写を行い作業を継続する場合と、その台紙（次の台紙）で初めて作成された付箋とでは、異なる扱いをしなければならないこととなってしまう。
【００３２】
本実施の形態は、複数の台紙を組み合わせて作業を行う場合に、台紙上の凡例の関係にしたがって、一方の台紙に貼り付けられている付箋を他方の台紙に貼り付けることを行う。そして、先に行われた台紙テンプレートの凡例用付箋属性や先に行われた付箋作業量と、次の行う台紙テンプレートの凡例用付箋属性や背景情報を比較することで、次に行う台紙テンプレートでの属性情報や背景情報を変更する。これによって、テンプレートのメンテナンス性を容易に保ちつつ、利用する際の作業効率を向上させるものである。
より具体的には、第１の台紙における第１の凡例と第２の台紙における第２の凡例の関係にしたがって、第１の台紙に貼り付けられている付箋を第２の台紙に貼り付ける
また、付箋の貼り付け元台紙（第１の台紙）の凡例属性と、貼り付け先台紙（第２の台紙）の凡例属性を比較し、付箋の属性情報の不整合があった場合、いずれか一方の台紙（例えば、貼り付け先台紙）の凡例属性を変更する。
また、貼り付け元の付箋の量（付箋数）と、貼り付け先台紙の背景情報（その付箋を複写する先の領域）を比較し、その付箋を貼り付けることができない（又は、その付箋を貼り付けただけでは、領域が余ってしまう）等の不整合があった場合、貼り付け先台紙の背景情報を変更する。
なお、以下の説明で「第１の台紙」、「第２の台紙」という用語を用いるが、第１の台紙は、最初の作業に用いた台紙に限られず、第２の台紙よりも前に用いられた台紙であればよい。したがって、計３枚の台紙が順に用いられた場合、２番目の台紙は、３番目の台紙（第２の台紙）にとって、「第１の台紙」となる。また、この場合、１番目の台紙を「第１の台紙」としてもよいし、１番目の台紙と２番目の台紙の複数を「第１の台紙」としてもよい。もちろんのことながら、２番目の台紙を「第２の台紙」とした場合、１番目の台紙（最初の作業に用いた台紙）が「第１の台紙」となる。
【００３３】
付箋画面制御モジュール１０５は、付箋画面表示モジュール１１０、付箋操作処理モジュール１１５、付箋情報記録モジュール１２０、テンプレート記録モジュール１４０、テンプレート選択モジュール１４５、テンプレート処理モジュール１５０、テンプレート間付箋複写判定モジュール１６５、付箋属性不整合整合判定モジュール１７０、テンプレート更新モジュール１８０と接続されている。付箋画面制御モジュール１０５は、電子付箋制御装置１００全体の処理を制御する。例えば、電子付箋端末２５０に対して付箋と台紙に関する情報（凡例の情報を含んでいてもよい）を送信し、電子付箋端末２５０から付箋の情報を受信し、台紙上に貼り付ける。
付箋画面表示モジュール１１０は、付箋画面制御モジュール１０５と接続されている。付箋画面表示モジュール１１０は、電子付箋制御装置１００に接続されている液晶ディスプレイ（特に大型液晶ディスプレイ）等の表示装置への表示を制御する。ファシリテーター等の操作を反映したり、電子付箋端末２５０から送信されてきた付箋を表示したりする。
付箋操作処理モジュール１１５は、付箋画面制御モジュール１０５と接続されている。付箋操作処理モジュール１１５は、ファシリテーター等による付箋の操作を受け付け、その操作にしたがった処理を行う。ここで操作として、例えば、凡例となる付箋の作成、付箋の複写、拡大・縮小、付箋の属性（例えば、色等）の変更、グループ化等がある。また、操作として台紙の変更、台紙の変更に伴う付箋の複写等を含めてもよい。
【００３４】
付箋情報記録モジュール１２０は、付箋画面制御モジュール１０５、付箋属性情報記憶モジュール１２５と接続されている。付箋情報記録モジュール１２０は、付箋画面制御モジュール１０５の制御にしたがって、付箋に関する情報（例えば、属性情報等）を付箋属性情報記憶モジュール１２５に記憶させる。
付箋属性情報記憶モジュール１２５は、付箋情報記録モジュール１２０と接続されている。付箋属性情報記憶モジュール１２５は、付箋に関する情報（凡例に関する情報を含めてもよい）、台紙に関する情報等を記憶している。例えば、後述する図１１に示す付箋情報テーブル１１００等を記憶している。
【００３５】
凡例付箋情報記憶モジュール１３０は、テンプレート記録モジュール１４０と接続されている。凡例付箋情報記憶モジュール１３０は、台紙の中で凡例として用いられている付箋（以下、凡例用付箋ともいう）に関する情報を記憶している。なお、この例では、凡例を付箋の一種として実現している。例えば、後述する図２０に示す台紙パターン情報テーブル２０００等を記憶している。
背景情報記憶モジュール１３５は、テンプレート記録モジュール１４０と接続されている。背景情報記憶モジュール１３５は、背景となる台紙（台紙のテンプレート、台紙パターンともいう）に関する情報を記憶している。例えば、後述する図８に示す台紙情報テーブル８００、図９に示す台紙情報テーブル９００、図１０に示す台紙情報テーブル１０００等を記憶している。テンプレートとは、予め定められた台紙の雛型である。例えば、付箋を貼り付ける領域、付箋の種類等が設定されている。
テンプレート記録モジュール１４０は、付箋画面制御モジュール１０５、凡例付箋情報記憶モジュール１３０、背景情報記憶モジュール１３５と接続されている。テンプレート記録モジュール１４０は、付箋画面制御モジュール１０５の制御にしたがって、台紙のテンプレートに関する情報（例えば、属性情報等）を付箋属性情報記憶モジュール１２５に記憶させる。
テンプレート選択モジュール１４５は、付箋画面制御モジュール１０５と接続されている。テンプレート選択モジュール１４５は、電子付箋システムを用いた会合を行うにあたって、操作者（一般的には、ファシリテーター）の操作にしたがって、台紙としてのテンプレートを選択する。例えば、後述する図２１の例に示す処理を行う。
【００３６】
テンプレート間付箋複写判定モジュール１６５は、付箋画面制御モジュール１０５と接続されている。テンプレート間付箋複写判定モジュール１６５は、台紙間で付箋を複写すべきか否かを判定する。前述したように、ある台紙Ａでの作業が終了し、新しい台紙Ｂに移る（台紙を切り替える）場合に、台紙Ａに貼り付けられている付箋を台紙Ｂに複写するか否かを判定する。例えば、台紙Ａで用いられている凡例と同じ凡例が台紙Ｂにある場合には、付箋の複写をすべきであると判定する。ここで、同じ凡例とは、後述するように、「第１の凡例に関係する第２の凡例」であることの一例であり、凡例（付箋）の名称が同じことをいう。同じ凡例がある場合、第１の台紙に貼り付けられており、その凡例に対応する付箋を、第２の台紙に複写することになる。ただし、この複写する場合、凡例の名称は同じであるが、色が異なる等が生じることになる。具体的には、同じ名称の凡例であるが、第１の台紙では赤であり、第２の台紙では青であるということが起こり得る。これを不整合として、付箋属性不整合整合判定モジュール１５５が整合処理を行う。
【００３７】
付箋属性不整合整合判定モジュール１７０は、付箋画面制御モジュール１０５と接続されている。付箋属性不整合整合判定モジュール１７０は、付箋を貼り付ける先の第１の台紙における第１の凡例の属性情報と、その第１の台紙の後に用いられる第２の台紙における第２の凡例の属性情報を取得する。
そして、付箋属性不整合整合判定モジュール１７０は、第１の凡例に関係する第２の凡例であって、その第１の凡例の属性情報とその第２の凡例の属性情報とが異なる場合は、両者の属性情報を整合させるように、テンプレート更新モジュール１８０を制御する。
ここで「第１の凡例に関係する第２の凡例」における「関係」とは、第１の凡例と第２の凡例の接続が設定されたことをいう。この他に、凡例の属性情報のうちいずれか１つ以上が一致していることを含めてもよい。例えば、凡例の名称が同じであることが該当する。また、名称だけに限らず、凡例が貼り付けられている位置が同じとしてもよいし、凡例の色が同じであるとしてもよい。ここで「位置が同じ」として、他の凡例との位置関係（例えば、左端にある等）が同じであってもよいし、第１の凡例と第２の凡例との距離が予め定められた閾値以内であるとしてもよい。なお、ここでの距離とは、第１の台紙と第２の台紙を重ね合わせた場合に、第１の凡例と第２の凡例との距離をいう。
「第１の凡例の属性情報と第２の凡例の属性情報とが異なる場合」における属性情報は、もちろんのことながら、前述した「第１の凡例に関係する第２の凡例」で用いた属性情報とは異なる属性情報である。例えば、名称が同じであるが、属性情報の形態が異なる場合があり、具体的には、色が異なる、形状が異なる等がある。例えば、凡例の名称は同じであるが、色が異なる場合等が該当する。また、凡例の名称が異なる場合を含めてもよい。例えば、凡例の色は同じであるが、名称が異なる場合等が該当する。
「両者の属性情報を整合させる」とは、第１の凡例の属性情報に合わせて、第２の凡例の属性情報を変更することであってもよいし、逆に、第２の凡例の属性情報に合わせて、第１の凡例の属性情報を変更することであってもよいし、第１の凡例の属性情報と第２の凡例の属性情報の両方を別の属性情報に変更することであってもよい。なお、整合のルール（変更ルール）は、不整合テンプレート更新ルール記憶モジュール１７５に記憶されている。
例えば、「第１の凡例に関係する第２の凡例」として、凡例の名称が同じであるものとした場合、両者の名称は「課題」であるが、第１の凡例の色が赤であり、第２の凡例の色が青である場合、第２の凡例の色を赤に変更すること等が該当する。また、例えば、「第１の凡例に関係する第２の凡例」として、凡例の色が同じであるものとした場合、両者の色は赤であるが、第１の凡例の名称が「課題」であり、第２の凡例の色の名称が「問題」である場合、第２の凡例の名称を「課題」に変更すること等が該当する。
【００３８】
また、第２の凡例には、台紙における領域が対応しており、その領域内には付箋が貼り付けられていてもよい。
そして、付箋属性不整合整合判定モジュール１７０は、第１の凡例に対応する付箋の量にしたがって、その第１の凡例に関係する第２の凡例に対応する領域の大きさを調整するようにしてもよい。
この場合、付箋属性不整合整合判定モジュール１７０は、調整が行われた領域にしたがって、他の領域の大きさを調整するようにしてもよい。
なお、領域の大きさの調整は、付箋属性不整合整合判定モジュール１７０がテンプレート更新モジュール１８０に指示して行わせるようにしてもよい。なお、領域の大きさの調整方法のルール（変更ルール）についても、不整合テンプレート更新ルール記憶モジュール１７５に記憶されている。
【００３９】
また、付箋属性不整合整合判定モジュール１７０は、第１の凡例に関係する第２の凡例であって、その第１の凡例の属性情報とその第２の凡例の属性情報とが異なる場合は、異なっていない第３の台紙を抽出することによって両者の属性情報を整合させるようにしてもよい。「異なっていない第３の台紙」とは、第１の凡例に関係する第３の台紙における第３の凡例であって、その第１の凡例の属性情報とその第３の凡例の属性情報とが同じ場合である。ここでの「関係」は前述した通りである。例えば、凡例用付箋の名称と色が同じ第３の台紙を抽出することである。これによって、台紙における凡例の属性情報を変更することなく、台紙間の整合性を保つことができるようになる。
また、付箋属性不整合整合判定モジュール１７０は、第１の凡例に関係する第２の凡例であって、その第２の凡例の属性情報をその第１の凡例の属性情報とすることによって、両者の属性情報を整合させるようにしてもよい。つまり、第１の凡例用付箋をそのまま第２の台紙に複写する。これによって、貼り付け元台紙にある凡例用付箋のうち、使わなかった凡例用付箋に対する不整合を無くす制御を行わずに済む。
【００４０】
不整合テンプレート更新ルール記憶モジュール１７５は、テンプレート更新モジュール１８０と接続されている。不整合テンプレート更新ルール記憶モジュール１７５は、前述したように、不整合が発生した場合の整合方法を定めた変更ルールを記憶している。例えば、変更ルールとして、第１の凡例に合わせて、第２の凡例を変更すること、第２の台紙に複写する付箋の量に合わせて、その付箋を貼り付ける領域の大きさを変更すること等がある。さらに、いずれの変更ルールを用いるかについては、台紙（又は、台紙の組）毎に予め定められていてもよい。例えば、前述したように、第１の台紙における凡例の属性情報に合わせて、第２の台紙における凡例の属性情報を変更すること等であってもよい。また、この他に、ある特定の台紙Ａが含まれている場合は、常に優先して台紙Ａの凡例の属性情報に合わせるように、他の台紙の凡例の属性情報を変更するようにしてもよい。また、台紙Ｂと台紙Ｃである場合は、台紙Ｂの凡例の属性情報に合わせるように、台紙Ｃの凡例の属性情報を変更するようにしてもよい。
テンプレート更新モジュール１８０は、付箋画面制御モジュール１０５、不整合テンプレート更新ルール記憶モジュール１７５と接続されている。テンプレート更新モジュール１８０は、付箋属性不整合整合判定モジュール１７０によって不整合があるとの判定があった場合に、不整合テンプレート更新ルール記憶モジュール１７５に記憶されている更新ルールにしたがって、台紙のテンプレートを変更する。具体的には、凡例の属性情報を変更すること、領域の大きさを変更することがある。
【００４１】
テンプレート処理モジュール１５０は、テンプレート間連結モジュール１５５、付箋再配置制御モジュール１６０を有しており、付箋画面制御モジュール１０５と接続されている。テンプレート処理モジュール１５０は、台紙テンプレート間の関係、凡例間の関係を設定し、その設定にしたがって、第１の台紙にある付箋を第２の台紙に貼り付けるものである。
テンプレート間連結モジュール１５５は、付箋を貼り付ける先の第１の台紙における第１の凡例と、その第１の台紙の後に用いられる第２の台紙における第２の凡例を取得する。
また、テンプレート間連結モジュール１５５は、第１の凡例と第２の凡例の接続を設定するようにしてもよい。そして、テンプレート間連結モジュール１５５は、第１の凡例と第２の凡例の関係として、その設定された第１の凡例と第２の凡例の接続を用いるようにしてもよい。なお、テンプレート間連結モジュール１５５による第１の凡例と第２の凡例の接続の設定は、操作者の操作によって行われてもよいし、予め定められたルールにしたがって行われてもよい。予め定められたルールとして、例えば、凡例の属性の一部（例えば、名称、色等）又は全部が同じものを接続するとしてもよい。
また、テンプレート間連結モジュール１５５は、第１の台紙と第２の台紙との関係を設定した後に、第１の凡例と第２の凡例の接続を設定するようにしてもよい。これによって、台紙間の関係が確定した後に、第１の凡例と第２の凡例が接続されることとなり、関係のない台紙を対象として、凡例間の接続を行ってしまうことを防ぐことができるようになる。
【００４２】
付箋再配置制御モジュール１６０は、第１の凡例と第２の凡例の関係にしたがって、第１の台紙に貼り付けられている付箋を第２の台紙に貼り付ける。ここで、第２の台紙に貼り付けられる付箋は、第１の台紙において、第１の凡例（第２の凡例と関係を有する第１の凡例）に対応する付箋である。ここで「凡例に対応する付箋」とは、その凡例にしたがって作成された付箋をいう。例えば、その凡例を用いて（具体的には、その付箋をコピーして）作成された付箋、凡例の属性の一部（例えば、色等）と同じ付箋等が該当する。
また、貼り付け処理のタイミング（契機）は、第１の台紙での作業が終了したときであってもよいし、第２の台紙での作業が開始されたときであってもよいし、その間（第１の台紙での作業が終了したときから第２の台紙での作業が開始されたときの間）であればよい。
【００４３】
図２は、本実施の形態を利用した付箋システムの構成例を示す説明図である。電子付箋制御装置１００は、一般的に大画面の表示装置を備えており、ファシリテーターによって操作される。この表示装置は、参加者全員が見ることができるものである。各電子付箋端末２５０は、会合における参加者によって操作され、一般的には、各参加者が１台ずつ所持している。例えば、電子付箋端末２５０として、タブレット型端末等が使用される。
図２（ａ）の例では、電子付箋制御装置１００、電子付箋端末２５０Ａ、電子付箋端末２５０Ｂ、電子付箋端末２５０Ｃは、通信回線２９８を介してそれぞれ接続されている。通信回線２９８は、無線、有線、これらの組み合わせであってもよく、例えば、通信インフラとしてのインターネット、イントラネット等であってもよい。この場合、電子付箋制御装置１００は、画面に表示される台紙、付箋に対する処理を行う。そして、付箋に関する情報、台紙に関する情報、凡例の情報を、各電子付箋端末２５０に送信する。電子付箋端末２５０は、受信した凡例の情報にしたがってユーザーインタフェースを生成して、そのユーザーインタフェース上で作成された付箋（凡例に沿った付箋）を電子付箋制御装置１００に送信する。
【００４４】
図２（ｂ）の例では、会議室２８０Ａには、電子付箋制御装置１００Ａ、電子付箋端末２５０Ａ、電子付箋端末２５０Ｂ、電子付箋端末２５０Ｃが設置されており、会合が行われる。電子付箋制御装置１００Ａ、電子付箋端末２５０Ａ、電子付箋端末２５０Ｂ、電子付箋端末２５０Ｃは、通信回線２９８を介してそれぞれ接続されている。
また、会議室２８０Ｂには、電子付箋制御装置１００Ｂ、電子付箋端末２５０Ｄ、電子付箋端末２５０Ｅが設置されており、会合が行われる。電子付箋制御装置１００Ｂ、電子付箋端末２５０Ｄ、電子付箋端末２５０Ｅは、通信回線２９８を介してそれぞれ接続されている。
そして、付箋情報記憶装置２９４、会議室２８０Ａ内の機器、会議室２８０Ｂ内の機器は、通信回線２９９を介してそれぞれ接続されている。また、付箋情報記憶装置２９４による機能は、クラウドサービスとして実現してもよい。
付箋情報記憶装置２９４は、付箋に関する情報を記憶している。各電子付箋制御装置１００は、付箋情報記憶装置２９４を用いて処理を行う。この場合、付箋情報記憶装置２９４内の付箋に関する情報を複数の電子付箋制御装置１００で共有してもよい。つまり、電子付箋制御装置１００Ａが管理している付箋に関する情報を、電子付箋制御装置１００Ｂが利用できるようにしてもよい。
【００４５】
図３は、本実施の形態が使用される会議室等において、電子付箋端末２５０、電子付箋制御装置１００の使用例を示す説明図である。
図３（ａ）の例に示すように、会議室等内に、参加者３１１、３１２、ファシリテーター３２１が集まっている。参加者３１１は電子付箋端末２５０Ａを利用し、参加者３１２は電子付箋端末２５０Ｂを利用する。一般的に、端末装置（電子付箋端末２５０Ａ等）は参加者１人に１個付与されており、図３（ｃ）の例に示す電子付箋端末２５０のように、ノート程度の大きさ（例えば、Ａ４、Ｂ５、７〜１０インチ等）のタブレット型の端末であり、指又はペン等を用いて操作されるものである。参加者によって、テキストデータ、手書きの文字、図形等が記載された付箋情報が作成される。なお、端末装置は、タブレット型の端末に限られず、キーボード、マウス等を備えたＰＣ（ノートＰＣを含む）等であってもよい。
図３（ａ）の例に示す電子付箋制御装置１００ｘは、プロジェクターであって、台紙及び付箋を表示する。また、電子付箋制御装置１００ｙは、電子白板であって、ファシリテーター３２１の指又はペン等の動きを検知して、付箋を台紙（表）に貼り付けること、付箋の複写、付箋の関連付け（グループ化）を行うこと等の操作を受け付けるものである。例えば、電子付箋制御装置１００ｙにペンが備えられており、そのペンが予め定められたペン置きから離れたこと（ファシリテーター３２１が操作するためにペンを持ち上げたこと）、そしてペンの先端の位置（ペン先端が電子付箋制御装置１００ｙに触れたこと等）を検知することによって、台紙、付箋に対する操作を受け付ける。例えば、ペン置きにセンサー（ペンの重力でスイッチがオンオフとなるセンサー等）を設け、複数のペン（黒色のペン、赤色のペン、青色のペン等）のうち、どのペンが用いられているかを検知すればよい。また、電子付箋制御装置１００ｙの表示画面全体がタッチセンサーであり、表示画面に触れられた位置、圧力を検知すればよい。本例では、ペンのオンオフはペン置きによって制御するが、必ずしもペン置きがある必要はない。ペン側で直接オンオフを制御できるようにしても構わない。色の変更に関してもペン置きを必要とせずに、表示画面上の一部分にカラーパレットを用意しておき、目的の色をペン（又は、それに類するもの）がタッチすることで色を変更したり、ペンに色を変える指示をするための機能（ボタンやスライダ等）が備わっていたりしても構わない。
また、電子付箋制御装置１００は、図３（ｂ）の例に示すような電子ボードであってもよい。電子ボードは、一般的に大画面の表示装置（少なくとも、電子付箋端末２５０の表示装置よりも大きい）を有しており、その表示装置はタッチパネルであり、表示画面に触れられた位置、圧力を検知する。例えば、画面として、８０インチ等の大きさを備えたものであってもよい。
【００４６】
図４は、本実施の形態による処理例を示すフローチャートである。ここでの処理例は、台紙間の関係、凡例間の関係を設定するものである。
ステップＳ４０２では、テンプレート選択モジュール１４５は、フレームワークを検索する。例えば、ファシリテーターの操作にしたがってこの処理を行う。なお、ここでのフレームワークとは、台紙テンプレートを示す表示である。例えば、フレームワークテーブル５００を検索する。図５は、フレームワークテーブル５００のデータ構造例を示す説明図である。フレームワークテーブル５００は、フレームワークＩＤ欄５１０、名前欄５１５、目的欄５２０、手法欄５２５、入力凡例数欄５３０、凡例用付箋ＩＤ５３５、出力凡例数欄５４０、凡例用付箋ＩＤ５４５を有している。フレームワークＩＤ欄５１０は、本実施の形態において、フレームワークを一意に識別するための情報（フレームワークＩＤ：ＩＤｅｎｔｉｆｉｃａｔｉｏｎ）を記憶している。名前欄５１５は、そのフレームワーク（台紙）の名前を記憶している。例えば、「ストーリーテリング」等がある。目的欄５２０は、そのフレームワーク（台紙）における目的を記憶している。例えば、「個人の経験を紹介する」等がある。手法欄５２５は、そのフレームワーク（台紙）における手法を記憶している。例えば、「参加者がペアになって紹介する」等がある。入力凡例数欄５３０は、そのフレームワーク（台紙）における入力凡例数を記憶している。凡例用付箋ＩＤ５３５は、そのフレームワーク（台紙）における凡例用付箋ＩＤを記憶している。入力凡例数欄５３０で記憶された数だけ凡例用付箋ＩＤが記憶される。出力凡例数欄５４０は、そのフレームワーク（台紙）における出力凡例数を記憶している。凡例用付箋ＩＤ５４５は、そのフレームワーク（台紙）における凡例用付箋ＩＤを記憶している。出力凡例数欄５４０で記憶された数だけ凡例用付箋ＩＤを記憶している。
【００４７】
ステップＳ４０４では、テンプレート選択モジュール１４５は、フレームワークを表示する。検索結果であるフレームワークを表示する。例えば、前述のフレームワークテーブル５００の各欄の内容を表示する。
ステップＳ４０６では、テンプレート間連結モジュール１５５は、フレームワーク間を連結する。例えば、ファシリテーターの操作にしたがってこの処理を行う。この連結には有向グラフを用いる。つまり、第１の台紙、その第１の台紙の後に用いられ第２の台紙を示すのに、単に対応していることだけでなく、順番を示す有向グラフを用いて接続する。接続線の具体的な形態として矢印を用いてもよい。矢印の元に接続されているフレームワークが第１の台紙となり、矢印の先に接続されているフレームワークが第２の台紙となる。
【００４８】
ステップＳ４０８では、テンプレート間連結モジュール１５５は、後のフレームワーク（第２の台紙）に入力を示す凡例はあるか否かを判断し、ある場合はステップＳ４１０へ進み、それ以外の場合は処理を終了する（ステップＳ４９９）。ここで凡例の種類として、入力と出力がある。「入力を示す凡例」とは、その台紙において入力される対象等（具体的には、テーマ、目的等）が記載された付箋を示すものである。そして、「出力を示す凡例」とは、その台紙において出力される対象等（具体的には、入力「テーマ」に対して「事実」、「想い」、「気づき」等があり、入力「目的」に対して「行動」、「担当」、「期日」等がある）が記載された付箋を示すものである。
ステップＳ４１０では、テンプレート間連結モジュール１５５は、その入力を示す凡例を強調表示する。もちろんのことながら、第２の台紙における入力を示す凡例である。第２の台紙では、第１の台紙の作成を前提としている場合があるので、入力として、第１の台紙における出力を示す凡例に対応する付箋を用いる場合があるので、第１の凡例と接続する可能性がある第２の凡例を強調表示している。ここでの強調表示として、他の凡例と異なる表示であればよく、例えば、色を異ならせること、形状（枠線の形状等）を異ならせること、点滅表示にすること等がある。例えば、前述の例では「目的」を強調表示する。
【００４９】
ステップＳ４１２では、テンプレート間連結モジュール１５５は、強調表示された入力凡例に対応する前のフレームワーク内の出力を示す凡例を選択する。例えば、ファシリテーターの操作にしたがってこの処理を行う。つまり、第１の凡例と第２の凡例の関係を設定する一例である。例えば、「目的」に関係する第１の凡例として、「気づき」等が選択される。
ステップＳ４１４では、テンプレート間連結モジュール１５５は、入力を示す凡例と対応する凡例間を連結する。具体的には、ステップＳ４１２で選択された凡例（第１の凡例）とステップＳ４１０で選択された凡例（第２の凡例）を有向グラフで連結する。この連結によって、第１の凡例に対応する付箋を、第２の台紙において、第２の凡例に対応する付箋として貼り付けられる。前述の例では、第２の凡例に対応する付箋（「目的」として作成される付箋）として、第１の凡例に対応する付箋（「気づき」として作成される付箋）が、第２の台紙に貼り付けられる。
【００５０】
図４の例に示したフローチャートによる処理によって、例えば、フレームワーク連結関連テーブル６００を生成する。図６は、フレームワーク連結関連テーブル６００のデータ構造例を示す説明図である。フレームワーク連結関連テーブル６００は、前フレームワークＩＤ欄６１０、後フレームワークＩＤ欄６１５、連結数欄６２０、前凡例用付箋ＩＤ欄６２５、後凡例用付箋ＩＤ欄６３０等を記憶している。前フレームワークＩＤ欄６１０は、前フレームワークＩＤ（第１の台紙を示すＩＤ）を記憶している。後フレームワークＩＤ欄６１５は、後フレームワークＩＤ（第２の台紙を示すＩＤ）を記憶している。連結数欄６２０は、凡例間の連結の数を記憶している。この後、前凡例用付箋ＩＤ欄６２５と後凡例用付箋ＩＤ欄６３０の組が、連結数欄６２０内の数だけ続く。前凡例用付箋ＩＤ欄６２５は、前凡例用付箋ＩＤ（第１の凡例を示すＩＤ）を記憶している。後凡例用付箋ＩＤ欄６３０は、後凡例用付箋ＩＤ（第２の凡例を示すＩＤ）を記憶している。
前フレームワークＩＤ欄６１０と後フレームワークＩＤ欄６１５の組で、第１の台紙と第２の台紙の関係を示している。前凡例用付箋ＩＤ欄６２５と後凡例用付箋ＩＤ欄６３０の組で、第１の凡例と第２の凡例の関係を示している。
【００５１】
なお、フレームワークと台紙の関係は、フレームワーク・台紙対応テーブル７００で管理する。図７は、フレームワーク・台紙対応テーブル７００のデータ構造例を示す説明図である。フレームワーク・台紙対応テーブル７００は、フレームワークＩＤ欄７１０、台紙ＩＤ欄７１５を有している。フレームワークＩＤ欄７１０は、フレームワークＩＤを記憶している。台紙ＩＤ欄７１５は、本実施の形態において、台紙を一意に識別するための情報（台紙ＩＤ）を記憶している。ここでは、フレームワークと台紙は、１対１に対応させた例を示している。
【００５２】
図８は、台紙情報テーブル８００のデータ構造例を示す説明図である。台紙情報テーブル８００は、台紙を管理するための情報を記憶している。台紙情報テーブル８００は、台紙ＩＤ欄８１０、台紙パターンＩＤ欄８１５、作成日時欄８２０、作成者欄８２５、凡例用付箋数欄８３０、凡例用付箋ＩＤ欄８３５を有している。台紙ＩＤ欄８１０は、本実施の形態において、台紙を一意に識別するための情報（台紙ＩＤ）を記憶している。台紙パターンＩＤ欄８１５は、背景となる台紙パターンＩＤを記憶している。例えば、白紙のパターン、表形式のパターン、凡例用付箋毎に付箋の貼り付け領域を有するパターン等がある。作成日時欄８２０は、その台紙の作成日時を記憶している。作成者欄８２５は、その台紙の作成者を記憶している。凡例用付箋数欄８３０は、凡例用付箋の数を記憶している。凡例用付箋ＩＤ欄８３５は、凡例としての付箋のＩＤを記憶している。凡例用付箋数欄８３０で記憶された数だけ凡例用付箋ＩＤを記憶している。
【００５３】
また、台紙情報テーブル８００の代わりに台紙情報テーブル９００を用いてもよい。図９は、台紙情報テーブル９００のデータ構造例を示す説明図である。台紙情報テーブル９００は、台紙情報テーブル８００に凡例領域欄９３０を付加したものである。台紙情報テーブル９００は、台紙ＩＤ欄９１０、台紙パターンＩＤ欄９１５、作成日時欄９２０、作成者欄９２５、凡例領域欄９３０、凡例用付箋数欄９５５、凡例用付箋ＩＤ欄９６０を有しており、凡例領域欄９３０は、Ｘ欄９３５、Ｙ欄９４０、Ｗ欄９４５、Ｈ欄９５０を有している。台紙ＩＤ欄９１０は、台紙ＩＤを記憶している。台紙パターンＩＤ欄９１５は、背景となる台紙パターンＩＤを記憶している。作成日時欄９２０は、その台紙の作成日時を記憶している。作成者欄９２５は、その台紙の作成者を記憶している。凡例領域欄９３０は、凡例領域を記憶している。凡例領域とは、凡例の付箋が貼り付けられる領域である。凡例領域を矩形とした場合は、例えば、Ｘ欄９３５、Ｙ欄９４０、Ｗ欄９４５、Ｈ欄９５０によって定義される。Ｘ欄９３５は、矩形の左上角のＸ座標を記憶している。Ｙ欄９４０は、矩形の左上角のＹ座標を記憶している。Ｗ欄９４５は、矩形の幅を記憶している。Ｈ欄９５０は、矩形の高さを記憶している。凡例用付箋数欄９５５は、凡例用付箋の数を記憶している。凡例用付箋ＩＤ欄９６０は、凡例としての付箋のＩＤを記憶している。凡例用付箋数欄９５５で記憶された数だけ凡例用付箋ＩＤを記憶している。
【００５４】
また、台紙情報テーブル８００、台紙情報テーブル９００の代わりに台紙情報テーブル１０００を用いてもよい。図１０は、台紙情報テーブル１０００のデータ構造例を示す説明図である。台紙情報テーブル１０００は、台紙情報テーブル９００に凡例数欄１０３０を付加し、凡例数欄１０３０内の数だけ凡例領域欄１０３５を連続して付加したものである。つまり、台紙内に複数の凡例領域がある場合に対応したものである。台紙情報テーブル１０００は、台紙ＩＤ欄１０１０、台紙パターンＩＤ欄１０１５、作成日時欄１０２０、作成者欄１０２５、凡例数欄１０３０、凡例領域欄１０３５、凡例用付箋数欄１０６０、凡例用付箋ＩＤ欄１０６５を有しており、凡例領域欄１０３５は、Ｘ欄１０４０、Ｙ欄１０４５、Ｗ欄１０５０、Ｈ欄１０５５を有している。台紙ＩＤ欄１０１０は、台紙ＩＤを記憶している。台紙パターンＩＤ欄１０１５は、背景となる台紙パターンＩＤを記憶している。作成日時欄１０２０は、その台紙の作成日時を記憶している。作成者欄１０２５は、その台紙の作成者を記憶している。凡例数欄１０３０は、凡例の数を記憶している。この後、凡例数欄１０３０内の数だけ、凡例領域欄１０３５が連続して続く。凡例領域を矩形とした場合は、例えば、Ｘ欄１０４０、Ｙ欄１０４５、Ｗ欄１０５０、Ｈ欄１０５５によって定義される。Ｘ欄１０４０は、矩形の左上角のＸ座標を記憶している。Ｙ欄１０４５は、矩形の左上角のＹ座標を記憶している。Ｗ欄１０５０は、矩形の幅を記憶している。Ｈ欄１０５５は、矩形の高さを記憶している。凡例用付箋数欄１０６０は、凡例用付箋の数を記憶している。凡例用付箋ＩＤ欄１０６５は、凡例としての付箋のＩＤを記憶している。凡例用付箋数欄１０６０で記憶された数だけ凡例用付箋ＩＤを記憶している。
【００５５】
図１１は、付箋情報テーブル１１００のデータ構造例を示す説明図である。付箋情報テーブル１１００は、付箋（凡例用付箋を含む）を管理するための情報を記憶している。付箋情報テーブル１１００は、付箋ＩＤ欄１１１０、台紙ＩＤ欄１１１５、貼付位置欄１１２０、サイズ欄１１２５、作成日時欄１１３０、作成者欄１１３５、貼付日時欄１１４０、色欄１１４５、枠線形状欄１１５０、枠線色欄１１５５、枠線太さ欄１１６０、所属グループ欄１１６５、凡例フラグ欄１１７０、内容種別欄１１７５、内容欄１１８０を有している。付箋ＩＤ欄１１１０は、付箋を、本実施の形態において一意に識別するための情報（付箋ＩＤ）を記憶している。台紙ＩＤ欄１１１５は、本実施の形態において、台紙を一意に識別するための情報（台紙ＩＤ）を記憶している。貼付位置欄１１２０は、その付箋が貼り付けられる位置を記憶している。つまり、台紙上の貼り付け位置を記憶している。例えば、台紙のＸＹ座標系における座標である。サイズ欄１１２５は、その付箋のサイズを記憶している。例えば、表示する付箋が矩形である場合は、幅と高さを記憶している。作成日時欄１１３０は、その付箋が作成された日時（年、月、日、時、分、秒、秒以下、又はこれらの組み合わせであってもよい）を記憶している。作成者欄１１３５は、その付箋の作成者（作成者ＩＤ）を記憶している。又は、その付箋が作成された情報処理装置（電子付箋端末２５０又は電子付箋制御装置１００の機器ＩＤ）を記憶してもよい。貼付日時欄１１４０は、その付箋が台紙に貼り付けられた日時を記憶している。色欄１１４５は、その付箋の表示色を記憶している。枠線形状欄１１５０は、その付箋の表示における枠線の形状（実線、点線、破線、波線、二重線等）を記憶している。枠線色欄１１５５は、その付箋の表示における枠線の色を記憶している。枠線太さ欄１１６０は、その付箋の表示における枠線の太さを記憶している。所属グループ欄１１６５は、その付箋が所属しているグループに関する情報を記憶している。例えば、その付箋がグループに属しているか否かを示す情報を記憶していてもよいし、グループに属している場合は、グループＩＤやそのグループに属している他の付箋ＩＤ等を記憶していてもよい。凡例フラグ欄１１７０は、ＯＮ（その付箋は凡例として使用されている付箋であることを示すフラグ状態）又はＯＦＦ（その付箋は凡例用付箋ではないことを示すフラグ状態、一般的な付箋であることを示すフラグ状態）を記憶している。内容種別欄１１７５は、その付箋の内容種別（テキスト情報、手書き文字又は図形等を示すベクトルデータ、音声情報、写真等の静止画像情報、動画情報等、又はこれらの組み合わせを示す情報）を記憶している。内容欄１１８０は、その付箋に書き込まれている内容を記憶している。凡例フラグ欄１１７０がＯＮである場合は、内容欄１１８０（凡例用付箋の名称を記憶することになる）、色欄１１４５、枠線形状欄１１５０、枠線色欄１１５５、枠線太さ欄１１６０、内容欄１１８０等のいずれか１つ又はこれらの組み合わせが「凡例の情報」となる。つまり、色欄１１４５、枠線形状欄１１５０、枠線色欄１１５５、枠線太さ欄１１６０のいずれか１つ又はこれらの組み合わせ等が「付箋の形態を示す属性」の例であって、内容欄１１８０が「付箋内に記載されたテキスト」（凡例の意味を示す文字列）の例となる。
例えば、「凡例に対応する付箋」の抽出は、凡例フラグ欄１１７０がＯＦＦであり、色欄１１４５における色が、凡例フラグ欄１１７０がＯＮとなっている付箋（凡例用付箋）の色欄１１４５における色と同じ付箋を抽出すればよい。また、付箋作成の過程を管理しておき、凡例フラグ欄１１７０がＯＮとなっている付箋（凡例用付箋）を複写して作成された付箋（凡例フラグ欄１１７０はＯＦＦ）を「凡例に対応する付箋」として抽出してもよい。
【００５６】
図１２は、本実施の形態による処理例を示す説明図である。図１２に示す例は、図４の例に示したフローチャートにおけるステップＳ４０２、Ｓ４０４における処理例を示すものである。つまり、フレームワークの検索処理例を示すものである。フレームワークの情報として、名前、目的、手法、入力（Ｐｒｅ）、出力（Ｐｏｓｔ）を表示している。この他に、そのフレームワークを用いる場合の最適な人数、そのフレームワークを用いた場合に完成にまでかかる見積もりの時間等を表示してもよい。もちろんのことながら、検索結果として、フレームワークが複数表示されてもよい。その場合、例えば、ファシリテーターは表示されたフレームワークを台紙として選択する。
図１２（ａ）に示す検索画面１２００ａは、ファシリテーターが検索用語とした「ストーリー」についての検索結果を示しており、テンプレート内容表示領域１２１０に検索結果を表示している。
テンプレート内容表示領域１２１０内には、例えば、「名前」として「ストーリーテリング」を表示し、「目的」として「個人の経験を紹介する」を表示し、「手法」として「参加者がペアになって紹介する」を表示し、「入力」として凡例用付箋（テーマ）１２１２を表示し、「出力」として、凡例用付箋（事実）１２２２、凡例用付箋（想い）１２２４、凡例用付箋（気づき）１２２６を表示している。
図１２（ｂ）に示す検索画面１２００ｂは、ファシリテーターが検索用語とした「アクション」についての検索結果を示しており、テンプレート内容表示領域１２５０に検索結果を表示している。
テンプレート内容表示領域１２５０内には、例えば、「名前」として、「アクションプラン」を表示し、「目的」として、「目的達成の計画づくり」を表示し、「手法」として、「ペアになって…する」を表示し、「入力」として、凡例用付箋（目的）１２５２を表示し、「出力」として、凡例用付箋（行動）１２６２、凡例用付箋（担当）１２６４、凡例用付箋（期日）１２６６を表示している。
【００５７】
図１３は、本実施の形態による処理例を示す説明図である。図１３に示す例は、図４の例に示したフローチャートにおけるステップＳ４０６における処理例を示すものである。具体的には、「課題解決ワークショップ」というワークフローを定義している。
連結画面１３００には、検索結果としてのフレームワーク（ストーリーテリング）１３１０、フレームワーク（アクションプラン）１３２０を表示し、その後、ファシリテーターの操作にしたがって、フレームワーク（ストーリーテリング）１３１０とフレームワーク（アクションプラン）１３２０とを有向グラフ１３３０によって関連付けている。図１３の例では、フレームワーク（ストーリーテリング）１３１０を有向グラフ１３３０の元にして第１の台紙とし、フレームワーク（アクションプラン）１３２０を有向グラフ１３３０の先にして第２の台紙としている。
【００５８】
図１４は、本実施の形態による処理例を示す説明図である。図１４に示す例は、図４の例に示したフローチャートにおけるステップＳ４０８、Ｓ４１０における処理例を示すものである。
フレームワーク（ストーリーテリング）１３１０内には、凡例用付箋（テーマ）１２１２、凡例用付箋（事実）１２２２、凡例用付箋（想い）１２２４、凡例用付箋（気づき）１２２６を表示している。
フレームワーク（アクションプラン）１３２０内には、凡例用付箋（目的）１２５２、凡例用付箋（行動）１２６２、凡例用付箋（担当）１２６４、凡例用付箋（期日）１２６６を表示している。
そして、凡例用付箋（目的）１２５２を強調表示（枠線を赤い太点線とする表示）している。凡例用付箋（目的）１２５２は、第２の台紙における入力としての凡例であるからである。
【００５９】
図１５は、本実施の形態による処理例を示す説明図である。図１５に示す例は、図４の例に示したフローチャートにおけるステップＳ４１２、Ｓ４１４における処理例を示すものである。
フレームワーク（ストーリーテリング）１３１０内の凡例用付箋（気づき）１２２６とフレームワーク（アクションプラン）１３２０内の凡例用付箋（目的）１２５２が、有向グラフ１５３０によって接続されている。例えば、ファシリテーターの操作によって、凡例用付箋（気づき）１２２６と凡例用付箋（目的）１２５２が接続される。この場合、凡例用付箋（気づき）１２２６が第１の凡例となり、凡例用付箋（目的）１２５２が第２の凡例となる。つまり、ファシリテーターは「目的」には直前の「気づき」を使用することを有向グラフ１５３０で表現する。したがって、アクションプランの台紙では「気づき」は「目的」として表現される。
【００６０】
図１６は、本実施の形態による処理例を示すフローチャートである。ここでの処理例は、第１の台紙での作業が終了し、第２の台紙で作業を開始するものである。
ステップＳ１６０２では、フレームワークに対応する台紙を表示する。
ステップＳ１６０４では、参加者の操作にしたがって、付箋を作成し、台紙（第１の台紙）に貼り付ける。
ステップＳ１６０６では、ファシリテーターの操作によって「次へ」ボタンが選択されたか否かを判断し、選択された場合はステップＳ１６０８へ進み、それ以外の場合はステップＳ１６０４へ戻る。
【００６１】
ステップＳ１６０８では、次の台紙（第２の台紙）を抽出する。前述の例では、現台紙に対応するフレームワーク（ストーリーテリング）１３１０に連結している次のフレームワーク（アクションプラン）１３２０を抽出し、そのフレームワーク（アクションプラン）１３２０に対応する台紙を「次の台紙」として抽出する。
ステップＳ１６１０では、次の台紙に対応するフレームワークの入力を示す凡例に連結されている出力を示す凡例はあるか否かを判断し、ある場合はステップＳ１６１２へ進み、それ以外の場合はステップＳ１６１６へ進む。前述の例では、フレームワーク（アクションプラン）１３２０の凡例用付箋（目的）１２５２には凡例用付箋（気づき）１２２６が接続されているので、ステップＳ１６１２へ進むことになる。
ステップＳ１６１２では、出力を示す凡例に対応する付箋を抽出する。前述の例では、現台紙で凡例用付箋（気づき）１２２６に対応して作成された付箋を抽出する。具体的には、赤い付箋を抽出する。この付箋の内容として気づきが記載されている。
ステップＳ１６１４では、抽出した付箋を次の台紙（第２の台紙）に貼り付ける。
ステップＳ１６１６では、次の台紙（第２の台紙）を表示する。したがって、次の台紙では、前の台紙の結果（気づきとして記載された付箋）が、目的の付箋として貼り付けられている。
【００６２】
図１７は、本実施の形態による処理例を示す説明図である。図１７に示す例は、図１６の例に示したフローチャートにおけるステップＳ１６０４における処理例を示すものである。
台紙画面１７００には、凡例領域１７１０、事実領域１７２０、想い領域１７３０、気づき領域１７４０、「次へ」ボタン１７９０を表示する。凡例領域１７１０には、予め凡例用付箋（テーマ）１２１２、凡例用付箋（事実）１２２２、凡例用付箋（想い）１２２４、凡例用付箋（気づき）１２２６が貼り付けられている。事実領域１７２０は、「事実」を記載した付箋を貼り付ける領域であり、想い領域１７３０は、「想い」を記載した付箋を貼り付ける領域であり、事実領域１７２０は、「気づき」を記載した付箋を貼り付ける領域である。
事実領域１７２０には、予め凡例用付箋（事実）１２２２が貼り付けられており、作業の結果として、付箋１７２２、付箋１７２４、付箋１７２６が貼り付けられていることを示している。なお、これらの付箋は、凡例用付箋（事実）１２２２と同じ黄色である。
想い領域１７３０には、予め凡例用付箋（想い）１２２４が貼り付けられており、作業の結果として、付箋１７３２が貼り付けられていることを示している。なお、これらの付箋は、凡例用付箋（想い）１２２４と同じ青色である。
気づき領域１７４０には、予め凡例用付箋（気づき）１２２６が貼り付けられており、作業の結果として、付箋１７４２、付箋１７４４が貼り付けられていることを示している。なお、これらの付箋は、凡例用付箋（気づき）１２２６と同じ赤色である。
【００６３】
図１８は、本実施の形態による処理例を示す説明図である。
ファシリテーターの司会によって、「課題解決ワークショップ」が実施される。「ストーリーテリング」の台紙（フレームワーク（ストーリーテリング）１３１０に対応する図１７の例に示す台紙画面１７００）での作業が終了した時点で、「次へ」ボタン１７９０が選択されると、遷移画面１８００を表示する。つまり、凡例領域１７１０と凡例領域１８１０の両方を表示し、「アクションプラン」の台紙（凡例領域１８１０）には、凡例領域１７１０での「気づき」の付箋が次の台紙である凡例領域１８１０の「目的」の付箋となって表示している。
図１８（ａ）の例は、その過程を示したものである。遷移画面１８００には、左側に凡例領域１７１０、事実領域１７２０、想い領域１７３０、気づき領域１７４０（図１７の例に示す台紙画面１７００と同様）、右側に凡例領域１８１０、行動領域１８２０、担当領域１８３０、期日領域１８４０（図１８（ｂ）の例に示す台紙画面１８５０と同様）を表示する。ここでは、凡例領域１８１０には、予め凡例用付箋（目的）１２５２、凡例用付箋（行動）１２６２、凡例用付箋（担当）１２６４、凡例用付箋（期日）１２６６が貼り付けられている。行動領域１８２０は、「行動」を記載した付箋を貼り付ける領域であり、担当領域１８３０は、「担当」を記載した付箋を貼り付ける領域であり、期日領域１８４０は、「期日」を記載した付箋を貼り付ける領域である。
行動領域１８２０には、予め凡例用付箋（行動）１２６２が貼り付けられており、図１６の例に示す処理例の結果、行動領域１８２０内に付箋１７４２、付箋１７４４が貼り付けられていることを示している。なお、これらの付箋は、そのまま複写したものであるので、凡例用付箋（気づき）１２２６と同じ赤色である。凡例用付箋（行動）１２６２と同じ緑色に変換する処理については、図１９の例に示すフローチャートによって説明する。
図１８（ｂ）は、図１８（ａ）の例に示した遷移画面１８００の右側を台紙画面１８５０の全面に表示したものである。つまり、台紙画面１８５０には、凡例領域１８１０、行動領域１８２０、担当領域１８３０、期日領域１８４０を表示する。この後、作業が行われ、担当領域１８３０、期日領域１８４０内に付箋が貼り付けられることとなる。
【００６４】
図１９は、本実施の形態（電子付箋制御装置１００）による処理例を示すフローチャートである。
ステップＳ１９０２では、ファシリテーターの操作にしたがって、次の台紙（第２の台紙）を表示する。前述の例では、「次へ」ボタン１７９０が選択された場合が該当する。
ステップＳ１９０４では、次の台紙（第２の台紙）に複写する付箋があるか否かを判断し、ある場合はステップＳ１９０６へ進み、それ以外の場合はステップＳ１９２０へ進む。複写する付箋があると判断する場合として、例えば、凡例が有向グラフによって接続されている場合、両方の台紙に同じ凡例用付箋（例えば、凡例の名称が同じ等）がある場合等がある。
【００６５】
ステップＳ１９０６では、複写する付箋属性と、次の台紙（第２の台紙）の凡例属性を比較する。
ステップＳ１９０８では、付箋属性に不整合があるか否かを判断し、ある場合はステップＳ１９１０へ進み、それ以外の場合はステップＳ１９１２へ進む。ここでの不整合として、例えば、同じ凡例用付箋であるが、属性情報が異なる（例えば、色が異なる等）場合がある。
ステップＳ１９１０では、設定されたルールにしたがって、付箋属性を変更し、ステップＳ１９１２へ進む。例えば、複写先の凡例用付箋の属性情報を、複写元の凡例用付箋の属性情報に変更すること等がある。
【００６６】
ステップＳ１９１２では、複写する付箋属性（例えば、付箋の大きさ、付箋の数等を含む）と、次の台紙（第２の台紙）の背景情報（例えば、貼り付け先の領域の大きさ）を比較する。
ステップＳ１９１４では、背景情報に不整合があるか否かを判断し、ある場合はステップＳ１９１６へ進み、それ以外の場合はステップＳ１９１８へ進む。ここでの不整合として、例えば、複写する付箋が複写先の貼り付けるべき領域内に収まらない場合等が該当する。
ステップＳ１９１６では、設定されたルールにしたがって、背景情報を変更し、ステップＳ１９１８へ進む。例えば、複写先の台紙における領域を、複写する付箋が収まる大きさに変更すること等がある。また、その大きさの変更に伴って、他の領域の大きさを変更する（一般的には、小さくする）ようにしてもよい。
【００６７】
ステップＳ１９１８では、次の台紙（第２の台紙）に付箋を複写する。
ステップＳ１９２０では、次の台紙（第２の台紙）での作業を開始する。
【００６８】
図２０は、台紙パターン情報テーブル２０００のデータ構造例を示す説明図である。台紙パターン情報テーブル２０００にしたがって台紙を表示する。台紙パターン情報テーブル２０００は、台紙パターンＩＤ欄２０１０、領域数欄２０１５、領域欄２０２０、凡例用付箋ＩＤ欄２０４５を有しており、領域欄２０２０は、Ｘ欄２０２５、Ｙ欄２０３０、Ｗ欄２０３５、Ｈ欄２０４０を有している。台紙パターンＩＤ欄２０１０は、背景となる台紙パターンＩＤ（台紙情報テーブル６００の台紙パターンＩＤ欄６１５と同等）を記憶している。領域数欄２０１５は、付箋を貼り付ける領域の数を記憶している。領域欄２０２０、凡例用付箋ＩＤ欄２０４５の組は、領域数欄２０１５内の数だけ、領域数欄２０１５以降に続く。領域を矩形とした場合は、例えば、Ｘ欄２０２５、Ｙ欄２０３０、Ｗ欄２０３５、Ｈ欄２０４０によって定義される。Ｘ欄２０２５は、矩形の左上角のＸ座標を記憶している。Ｙ欄２０３０は、矩形の左上角のＹ座標を記憶している。Ｗ欄２０３５は、矩形の幅を記憶している。Ｈ欄２０４０は、矩形の高さを記憶している。なお、領域を表示する場合は、矩形の角を丸くする等の加工を行ってもよい。また、もちろんのことながら、領域は、矩形に限らず、他の形状であってもよい。その場合、領域欄２０２０は、その形状を示すパラメータを記憶している。凡例用付箋ＩＤ欄２０４５は、その領域（領域欄２０２０）を示す文字列を内容に有する凡例としての付箋のＩＤを記憶している。後述する図２４の例で示すと、領域２４２０は、領域欄２０２０によって規定され、凡例用付箋（課題）２４２２は、凡例用付箋ＩＤ欄２０４５（正確には、凡例用付箋ＩＤ欄２０４５によって指定された付箋情報テーブル１１００）によって規定される。
【００６９】
図２１〜図２６の例を用いて、電子付箋システムを用いた会合における処理例を示す。
図２１は、本実施の形態による処理例（事前に付箋のワークフローを決定する処理例）を示す説明図である。具体的には、電子付箋システムを用いた会合を行うにあたって、事前に台紙パターンを選択し、その順番を決定する。図１４に示した例と同等である。ただし、図２１に示す例は、３つのフレームワーク間の関係を示している。なお、ワークフローは必ずしも事前に決定するだけではなく、会合の途中で、ワークフローを修正等してもよい。
共有画面である画面２１００には、フレームワーク（台紙１）２１１０、フレームワーク（台紙２）２１２０、フレームワーク（台紙３）２１３０が選択され、それを表示している状態を示している。そして、フレームワーク（台紙１）２１１０、フレームワーク（台紙２）２１２０、フレームワーク（台紙３）２１３０は、有向グラフ２１５０により接続されている。この場合、フレームワーク（台紙１）２１１０、フレームワーク（台紙２）２１２０が作成された後に、フレームワーク（台紙３）２１３０を作成することを示している。
フレームワーク（台紙１）２１１０には、凡例用付箋（特徴）２１１２、凡例用付箋（利点）２１１４、凡例用付箋（課題）２１１６が凡例として表示されている。つまり、フレームワーク（台紙１）２１１０では、特徴、利点、課題の付箋を作成し、貼り付けることを示している。そして、例えば、凡例用付箋（特徴）２１１２は黄色、凡例用付箋（利点）２１１４は青色、凡例用付箋（課題）２１１６は赤色である。
フレームワーク（台紙２）２１２０には、凡例用付箋（特徴）２１２２、凡例用付箋（利点）２１２４、凡例用付箋（課題）２１２６が凡例として表示されている。つまり、フレームワーク（台紙２）２１２０では、特徴、利点、課題の付箋を作成し、貼り付けることを示している。そして、例えば、凡例用付箋（特徴）２１２２は黄色、凡例用付箋（利点）２１２４は青色、凡例用付箋（課題）２１２６は赤色である。
フレームワーク（台紙３）２１３０には、凡例用付箋（課題）２１３２、凡例用付箋（対策）２１３４が凡例として表示されている。つまり、フレームワーク（台紙３）２１３０では、課題、対策の付箋を作成し、貼り付けることを示している。そして、例えば、凡例用付箋（課題）２１３２は青色、凡例用付箋（対策）２１３４は赤色である。
【００７０】
図２２は、本実施の形態による処理例（台紙１：２２１０、台紙２：２２２０の初期状態）を示す説明図である。
図２２（ａ）は、台紙１：２２１０（図２１の例で示したフレームワーク（台紙１）２１１０に対応）を表示した状態を示している。画面２１００には、台紙１：２２１０を表示している。台紙１：２２１０には、凡例用付箋（特徴）２２１２、凡例用付箋（利点）２２１４、凡例用付箋（課題）２２１６を凡例用付箋として表示している。台紙１：２２１０は対象Ｘに対して実施（特徴、利点、課題の洗い出し）する。
図２２（ｂ）台紙２：２２２０（図２１の例で示したフレームワーク（台紙２）２１２０に対応）を表示した状態を示している。画面２１００には、台紙２：２２２０を表示している。台紙２：２２２０には、凡例用付箋（特徴）２２２２、凡例用付箋（利点）２２２４、凡例用付箋（課題）２２２６を凡例用付箋として表示している。台紙２：２２２０は対象Ｙに対して実施（特徴、利点、課題の洗い出し）する。
【００７１】
図２３は、本実施の形態による処理例（台紙１：２２１０、台紙２：２２２０の修了時の状態）を示す説明図である。
図２３（ａ）は、台紙１：２２１０（図２１の例で示したフレームワーク（台紙１）２１１０に対応）を表示した状態を示している。画面２１００には、台紙１：２２１０を表示している。台紙１：２２１０には、凡例用付箋（特徴）２２１２、凡例用付箋（利点）２２１４、凡例用付箋（課題）２２１６を凡例用付箋として表示し、その凡例用付箋にしたがって、付箋が貼り付けられている。ここでは、「課題」として付箋（課題）２３５２、付箋（課題）２３５４が貼り付けられている。つまり、特徴、利点、課題の３種類の項目を、凡例の色にしたがって作業が行われたものである。
図２３（ｂ）は、台紙２：２２２０（図２１の例で示したフレームワーク（台紙２）２１２０に対応）を表示した状態を示している。画面２１００には、台紙２：２２２０を表示している。台紙２：２２２０には、凡例用付箋（特徴）２２２２、凡例用付箋（利点）２２２４、凡例用付箋（課題）２２２６を凡例用付箋として表示し、その凡例用付箋にしたがって、付箋が貼り付けられている。ここでは、「課題」として付箋（課題）２３５６、付箋（課題）２３５８が貼り付けられている。つまり、特徴、利点、課題の３種類の項目を、凡例の色にしたがって作業が行われたものである。
【００７２】
図２４は、本実施の形態による処理例（台紙３：２４１０の初期状態）を示す説明図である。ここでの初期状態とは、パターン台紙のデフォルト状態を示している。
画面２１００には、台紙３：２４１０を表示している。台紙３：２４１０には、領域２４２０、領域２４３０を表示している。領域２４２０には凡例用付箋（課題）２４２２を対応させ、領域２４３０には凡例用付箋（対策）２４３２を対応させて表示している。つまり、領域２４２０内には、課題の付箋を貼り付け、領域２４３０内には、対策の付箋を貼り付けるものである。この場合、図２３の例で作成された付箋（課題）２３５２、付箋（課題）２３５４、付箋（課題）２３５６、付箋（課題）２３５８を、領域２４２０に複写するものである。
なお、凡例用付箋（課題）２４２２は青色であって、凡例用付箋（対策）２４３２は赤色である。つまり、台紙１：２２１０、台紙２：２２２０では、課題の凡例用付箋（凡例用付箋（課題）２２１６、凡例用付箋（課題）２２２６）は赤色であったが、台紙３：２４１０では違う色となっている。さらに、凡例用付箋（対策）２４３２が赤色であるので、このまま台紙３：２４１０を用いた場合は、図２３での作業を行った参加者は混乱が生じてしまう。
さらに、図２３の例で示した付箋（課題）２３５２、付箋（課題）２３５４、付箋（課題）２３５６、付箋（課題）２３５８を、領域２４２０に複写するのであるが、領域２４２０には、これら４枚の付箋を貼り付けるだけの大きさを有していない。
電子付箋制御装置１００は、この状態を不整合（複写元と複写先で凡例用付箋の色が異なること、付箋を複写する先の領域が確保されていないこと）が発生していると検知する。
【００７３】
図２５は、本実施の形態による処理例を示す説明図である。つまり、電子付箋制御装置１００は、不整合が発生していたので、整合処理を行ったものである。
画面２１００には、台紙３：２４１０を表示している。台紙３：２４１０には、領域２５２０、領域２５３０を表示している。領域２５２０には凡例用付箋（課題）２５２２を対応させ、領域２５３０には凡例用付箋（対策）２５３２を対応させて表示している。ここで、図２４の例と比べて、凡例用付箋（課題）２５２２は凡例用付箋（課題）２４２２の色を赤色に変更し、凡例用付箋（対策）２５３２は凡例用付箋（対策）２４３２の色を緑色に変更している。つまり、台紙３：２４１０における凡例用付箋（課題）２５２２の色は、台紙１：２２１０の凡例用付箋（課題）２２１６（又は台紙２：２２２０の凡例用付箋（課題）２２２６）の色に変更している。そして、同じ赤色であった凡例用付箋（対策）２４３２を、他の色である緑色の凡例用付箋（対策）２５３２に変更している。なお、凡例用付箋（対策）２５３２の色は、凡例用付箋（課題）２５２２と異なる色であればよい。ただし、凡例用付箋（課題）２５２２の名称（対策）は、いままでの台紙（台紙１：２２１０、台紙２：２２２０）で用いられていた凡例用付箋にはないので、それらの凡例用付箋の色とは異なる色であることが望ましい。混同しないようにさせるためである。
そして、領域２５２０は、領域２４２０を４枚の付箋（付箋（課題）２３５２、付箋（課題）２３５４、付箋（課題）２３５６、付箋（課題）２３５８）を貼り付けるだけの大きさにし、それに合わせて、領域２５３０は、領域２４３０を小さく変更したものである。
【００７４】
図２６は、本実施の形態による処理例を示す説明図である。つまり、付箋を複写した処理例を示している。
画面２１００には、台紙３：２４１０を表示している。台紙３：２４１０には、領域２５２０、領域２５３０を表示している。領域２５２０内には、付箋（課題）２３５２、付箋（課題）２３５４、付箋（課題）２３５６、付箋（課題）２３５８を表示している。つまり、図２３（ａ）の例に示した付箋（課題）２３５２、付箋（課題）２３５４と、図２３（ｂ）の例に示した付箋（課題）２３５６、付箋（課題）２３５８を、領域２５２０内に複写させたものである。この後、台紙３：２４１０での作業が進められる。
【００７５】
なお、本実施の形態としてのプログラムが実行されるコンピュータのハードウェア構成は、図２７に例示するように、一般的なコンピュータであり、具体的にはパーソナルコンピュータ、サーバーとなり得るコンピュータ等である。つまり、具体例として、処理部（演算部）としてＣＰＵ２７０１を用い、記憶装置としてＲＡＭ２７０２、ＲＯＭ２７０３、ＨＤ２７０４を用いている。ＨＤ２７０４として、例えばハードディスク、ＳＳＤ（Ｓｏｌｉｄ  Ｓｔａｔｅ  Ｄｒｉｖｅ）を用いてもよい。付箋画面制御モジュール１０５、付箋画面表示モジュール１１０、付箋操作処理モジュール１１５、付箋情報記録モジュール１２０、テンプレート記録モジュール１４０、テンプレート選択モジュール１４５、テンプレート処理モジュール１５０、テンプレート間付箋複写判定モジュール１６５、付箋属性不整合整合判定モジュール１７０、テンプレート更新モジュール１８０等のプログラムを実行するＣＰＵ２７０１と、そのプログラムやデータを記憶するＲＡＭ２７０２と、本コンピュータを起動するためのプログラム等が格納されているＲＯＭ２７０３と、付箋属性情報記憶モジュール１２５、凡例付箋情報記憶モジュール１３０、背景情報記憶モジュール１３５、不整合テンプレート更新ルール記憶モジュール１７５としての機能を有する補助記憶装置（フラッシュ・メモリ等であってもよい）であるＨＤ２７０４と、キーボード、マウス、タッチスクリーン、マイク等に対する利用者の操作に基づいてデータを受け付ける受付装置２７０６と、ＣＲＴ、液晶ディスプレイ、スピーカー等の出力装置２７０５と、ネットワークインタフェースカード等の通信ネットワークと接続するための通信回線インタフェース２７０７、そして、それらをつないでデータのやりとりをするためのバス２７０８により構成されている。これらのコンピュータが複数台互いにネットワークによって接続されていてもよい。
【００７６】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図２７に示すハードウェア構成は、１つの構成例を示すものであり、本実施の形態は、図２７に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図２７に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００７７】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分又は全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００７８】
１００…電子付箋制御装置
１０５…付箋画面制御モジュール
１１０…付箋画面表示モジュール
１１５…付箋操作処理モジュール
１２０…付箋情報記録モジュール
１２５…付箋属性情報記憶モジュール
１３０…凡例付箋情報記憶モジュール
１３５…背景情報記憶モジュール
１４０…テンプレート記録モジュール
１４５…テンプレート選択モジュール
１５０…テンプレート処理モジュール
１５５…テンプレート間連結モジュール
１６０…付箋再配置制御モジュール
１６５…テンプレート間付箋複写判定モジュール
１７０…付箋属性不整合整合判定モジュール
１７５…不整合テンプレート更新ルール記憶モジュール
１８０…テンプレート更新モジュール
２５０…電子付箋端末
２９４…付箋情報記憶装置
２９８、２９９…通信回線
【図１】
2018041388.tif 000003
【図２】
2018041388.tif 000004
【図３】
2018041388.tif 000005
【図４】
2018041388.tif 000006
【図５】
2018041388.tif 000007
【図６】
2018041388.tif 000008
【図７】
2018041388.tif 000009
【図８】
2018041388.tif 000010
【図９】
2018041388.tif 000011
【図１０】
2018041388.tif 000012
【図１１】
2018041388.tif 000013
【図１２】
2018041388.tif 000014
【図１３】
2018041388.tif 000015
【図１４】
2018041388.tif 000016
【図１５】
2018041388.tif 000017
【図１６】
2018041388.tif 000018
【図１７】
2018041388.tif 000019
【図１８】
2018041388.tif 000020
【図１９】
2018041388.tif 000021
【図２０】
2018041388.tif 000022
【図２１】
2018041388.tif 000023
【図２２】
2018041388.tif 000024
【図２３】
2018041388.tif 000025
【図２４】
2018041388.tif 000026
【図２５】
2018041388.tif 000027
【図２６】
2018041388.tif 000028
【図２７】
2018041388.tif 000029